(57)【要約】【課題】窓開口を隙間なく閉塞可能なロールスクリーンを提供する。【解決手段】建物壁１０の窓開口１１ｂの上方で建物壁１０に支持される左右一対のサイドブラケット２０と、サイドブラケット２０に回転可能に支持される巻取軸３０と、窓開口１１ｂの横幅よりも幅広であって巻取軸３０に巻かれるスクリーン４０とを具備し、スクリーン４０を巻取軸３０から窓開口１１ｂに沿って引き降ろし可能なロールスクリーンにおいて、巻取軸３０は窓開口１１ｂの室内側上縁の上方の室内側壁面１０ａに支持されると共に、巻取軸３０から引き降ろされたスクリーン４０がウェイトバー５０で上方に折り返されて窓開口１１ｂの室内側上縁の上方に固定される。【選択図】図１Ａ
2020172745.tif 000002
【特許請求の範囲】
【請求項１】
建物壁に形成された窓開口の上方に支持される左右一対のサイドブラケットと、当該サイドブラケットに回転可能に支持される巻取軸と、前記窓開口の横幅よりも幅広であって前記巻取軸に巻かれるスクリーンとを具備し、当該スクリーンを前記巻取軸から前記窓開口に沿って引き降ろし可能なロールスクリーンにおいて、前記巻取軸から引き降ろされた前記スクリーンがウェイトバーで上方に折り返されて前記窓開口の室内側上縁又は当該室内側上縁の上方に固定されることを特徴とするロールスクリーン。
【請求項２】
前記ウェイトバーで上方に折り返された前記スクリーンの上端部が前記サイドブラケットに固定されることを特徴とする請求項１のロールスクリーン。
【請求項３】
前記ウェイトバーで上方に折り返された前記スクリーンの上端部が、前記サイドブラケットに移動可能に取り付けられたスクリーン支持部材に固定されることを特徴とする請求項１のロールスクリーン。
【発明の詳細な説明】
【技術分野】
【０００１】
本発明はロールスクリーンに係り、特に窓開口を隙間なく閉塞可能なロールスクリーンに関する。
【背景技術】
【０００２】
一般に、ロールスクリーンは使用するスクリーン自体がフラットで軽量なことから開閉（昇降）が容易であり、またスクリーンが室内側に張り出さないので室内空間を広く取ることができるという特徴がある。ロールスクリーンの巻取軸は、窓開口の上縁に隣接した室内側壁面に取り付けられたり、出窓の場合は出窓天井面に取り付けられたりする（特許文献１参照）。
【先行技術文献】
【特許文献】
【０００３】
【特許文献１】特開２０１６−４４４３７号公報
【発明の概要】
【発明が解決しようとする課題】
【０００４】
ロールスクリーンは前述したように開閉（昇降）が容易であるが、空調効果を高めたりプライバシーを確保したりするため、窓開口を隙間なく完全に閉塞したいという要求がある。しかし、図４（ａ）（ｂ）のようにロールスクリーン１００の巻取軸３０を窓開口１０ｂの上縁に隣接した室内側壁面１０ａに取り付けた場合、昇降コード７０を持ちスクリーン４０を巻取軸３０から下方に引き降ろして窓開口１０ｂを閉塞しても、窓開口１０ｂとの間に隙間Ｃ１ができる。
【０００５】
これはスクリーン４０の引き下ろしに伴い巻取軸３０の巻径が減少するからである。窓開口１０ｂとの間に隙間Ｃ１があると室内空調の効果が低下する。また夜間における室内光の漏洩でプライバシーが外部に漏れたり、昼間にあっては日差しの侵入でホームシアター環境が損なわれたりする。一方、窓開口１０ｂを完全に閉塞するため窓開口１０ｂの天井面に巻取軸３０を取り付けると、図５（ａ）〜（ｃ）のような内開き窓１２の場合に、巻取軸３０が干渉して窓１２が開けられなくなる。
【０００６】
そこで本発明の目的は、窓開口を隙間なく閉塞可能なロールスクリーンを提供することにある。
【課題を解決するための手段】
【０００７】
前記課題を解決すめため、本発明のロールスクリーンは、建物壁に形成された窓開口の上方に支持される左右一対のサイドブラケットと、当該サイドブラケットに回転可能に支持される巻取軸と、前記窓開口の横幅よりも幅広であって前記巻取軸に巻かれるスクリーンとを具備し、当該スクリーンを前記巻取軸から前記窓開口に沿って引き降ろし可能なロールスクリーンにおいて、前記巻取軸から引き降ろされた前記スクリーンがウェイトバーで上方に折り返されて前記窓開口の室内側上縁又は当該室内側上縁の上方に固定されることを特徴とする。
【発明の効果】
【０００８】
本発明のロールスクリーンによれば、ウェイトバーで上方に折り返されたスクリーンが窓開口の室内側上縁又は当該室内側上縁の上方に固定されるので、窓開口をスクリーンによって隙間なく閉塞することができる。
【図面の簡単な説明】
【０００９】
【図１Ａ】本発明の実施形態１に係るロールスクリーンの断面図である。
【図１Ｂ】本発明の実施形態２に係るロールスクリーンの断面図である。
【図１Ｃ】本発明の実施形態３に係るロールスクリーンの断面図である。
【図２Ａ】スクリーン支持部材を使用したスクリーンの上端支持構造の断面図である。
【図２Ｂ】図２Ａのスクリーン支持部材の斜視図である。
【図２Ｃ】スクリーン支持部材の角度調整部材の斜視図である。
【図３Ａ】別のスクリーン支持部材を使用したスクリーンの上端支持構造の断面図である。
【図３Ｂ】図３Ａの斜視図である。
【図４】室内側壁面に取り付けられた従来のロールスクリーンの（ａ）斜視図と（ｂ）断面図である。
【図５】内開き式窓ガラスの（ａ）閉状態の断面図、（ｂ）開状態の断面図、（ｃ）開状態の平面図である。
【発明を実施するための形態】
【００１０】
以下、図面を参照して本発明のロールスクリーンの実施形態を説明する。図１Ａが実施形態１、図１Ｂが実施形態２、そして図１Ｃが実施形態３を示す。実施形態１と２が窓枠１１がある場合で、実施形態３が窓枠なしの場合である。
【００１１】
（実施形態１）
図１Ａの実施形態１のロールスクリーン１００は、建物壁１０の室内側壁面１０ａに左右一対で取り付けられたサイドブラケット２０と、当該サイドブラケット２０に両端が回転可能に支持された円筒状の巻取軸３０と、巻取軸３０に巻かれたスクリーン４０と、スクリーン４０の折り返し下端部に装着された円筒状のウェイトバー５０で構成されている。なお、巻取軸３０の上方にカバー６０を取り付けることもある。
【００１２】
建物壁１０に設けられた窓枠１１の内側が窓開口１１ｂである。窓開口１１ｂの室外側に窓１２が設けられる。図示例では窓１２を嵌め殺し窓のように簡便に示すが、窓１２は外開き窓、内開き窓、内倒し窓、引違い窓、ルーバー窓など型式は任意である。
【００１３】
窓開口１１ｂの室内側がスクリーン４０で開閉される。スクリーン４０は巻取軸３０の室内側外周面から引き出されてウェイトバー５０で上方に折り返される。スクリーン４０の開閉は、巻取軸３０のいずれか一方の端部に取り付けられた昇降コードで巻取軸３０を回動することで行う。
【００１４】
ウェイトバー５０は、スクリーン４０が（ａ）の全閉と（ｂ）の全開の間の任意の高さで止めることが可能である。ウェイトバー５０の自重によってスクリーン４０の折り返し部が下方に引っ張られることでスクリーン４０の展張状態が維持される。なお、巻取軸３０は電動回転式にすることも可能である。
【００１５】
本発明のロールスクリーン１００では、ウェイトバー５０で折り返されたスクリーン４０の上端部４０ａが、図１Ａに示すように、左右のサイドブラケット２０および両サイドブラケット２０間を連結するレール板（図示せず）に固定されている。固定方法は、接着剤、両面テープまたはネジ止など任意である。そして図１Ａ（ａ）のようにスクリーン４０を下げて窓開口１１ｂを閉じると、スクリーン４０の折り返し側が窓枠１１の室内側縁部１１ａ、１１ｃに隙間なく接触した状態で窓開口１１ｂが完全に閉塞される。
【００１６】
ここでウェイトバー５０の径は、（ａ）の閉塞状態でスクリーン４０の室内側と室外側が平行となる大きさのものを使用する。したがって、（ａ）の閉塞状態で巻取軸３０が露出している場合は、巻取軸３０とウェイトバー５０をほぼ同径にする。
【００１７】
なお、スクリーン４０の上端部４０ａの図１Ａで左右方向の固定位置は、窓枠１１とスクリーン４０との間に隙間が生じないように位置調整可能にしてもよい。このような位置調整可能な構成例は図２Ａ〜図２Ｃにより後述する。
【００１８】
図１Ａ（ａ）の閉塞状態において、スクリーン４０はウェイトバー５０での折り返しにより二重化されるので、スクリーン４０の間に保持された空気層による断熱効果が得られる。したがって、窓開口１１ｂの完全閉塞と相まって、夏季や冬季での空調効果を高め空調コストを低減することができる。
【００１９】
またスクリーン４０を遮光性にした場合は夜間における室内光の完全な漏洩防止によりプライバシーを確保することができる。一方、昼間においては外来光の完全な侵入防止により理想的なホームシアター環境を提供することができる。この場合、遮光層（白色または黒色）はスクリーン４０の対向する内側に形成されるから外からは見えない。すなわちスクリーン４０の室内柄と同じ柄が室外からも見えるので体裁がよい。
【００２０】
図１Ａ（ｂ）に示すようにスクリーン４０を上げてウェイトバー５０を窓枠１１の上枠高さまで上げることで、窓開口１１ｂを全開にできる。したがって、窓１２が内開き式や内倒し式であっても、ウェイトバー５０に干渉することなく室内側に窓を開くことができる。
【００２１】
（実施形態２）
図１Ｂは実施形態２に係るロールスクリーン１００である。この実施形態２では、スクリーン４０が巻取軸３０の室外側外周面から引き出されて円筒状のウェイトバー５１で上方に折り返される。折り返されたスクリーン４０の上端部４０ａは窓枠１１の上枠に固定されている。固定方法は、接着剤、両面テープまたはネジ止など任意である。
【００２２】
この実施形態２では、スクリーンの上端部４０ａをサイドブラケット２０に固定した実施形態１に比べて固定位置の調整が不要であり、またスクリーン４０の必要長も短くて済むのでコストダウンが可能である。さらに、スクリーン４０の室内側と室外側を平行状態で接近させることができるので、ウェイトバー５１の径を実施形態１のウェイトバー５０よりも細くすることができ、室内空間をより広く取ることができる。
【００２３】
また、昇降コードで巻取軸３０を矢印方向に回動することで、図１Ｂ（ａ）の閉塞状態から図１Ｂ（ｂ）の開放状態になるが、この際、巻取軸３０を含むロール径が次第に増大する。このため、スクリーン４０の張力でウェイトバー５１が窓枠１１側に付勢される。したがって、ウェイトバー５１の両端部は常に窓枠１１の室内側縦枠１１ｃに沿って昇降することになって、ウェイトバー５１が不安定に揺れて巻取軸３０の巻乱れが発生するおそれがない。
【００２４】
（実施形態３）
図１Ｃは実施形態３に係るロールスクリーン１００である。この実施形態３は建物壁１０に窓枠なしで窓開口１０ｂが形成されている場合であって、スクリーン４０の上端部４０ａが、窓開口１０ｂの室内側上縁の上方の室内側壁面１０ａに固定されている。固定方法は、接着剤、両面テープまたはネジ止など任意である。
【００２５】
図１Ｃの実施形態３では、窓枠がないので室内空間をより広く取ることができる。従来のロールスクリーン１００は、図３に示すように隙間Ｃ１ができて窓開口１０ｂを完全に閉塞することができなかったが、本発明によれば図１Ｃ（ａ）のように窓開口１０ｂを完全に閉塞することができる。また、巻取軸３０の巻乱れのおそれがないことは前述の実施形態２と同じである。
【００２６】
（角度調整部材）
図１Ａで前述した実施形態１では、スクリーン４０の上端部４０ａを左右のサイドブラケット２０および両サイドブラケット２０間を連結するレール板（図示せず）に固定したが、室内側壁面１０ａからの窓枠１１の張り出し厚さに合わせてスクリーン４０の上端部４０ａを固定するのは難しい。そこで図２Ａに示すように、サイドブラケット２０にスクリーン支持部材２１を取り付けた。
【００２７】
スクリーン支持部材２１は巻取軸３０と平行に延びた板状部材であって、当該板状部材にスクリーン４０の上端部４０ａが固定される。固定方法は、接着剤、両面テープまたはネジ止など任意である。また、図２Ｂのように、板状部材の両端部にアーム部２１ａと軸部２１ｂが設けられ、左右の軸部２１ｂが巻取軸３０と同軸でサイドブラケット２０を貫通し、サイドブラケット２０に回動可能に支持されている。したがって、スクリーン支持部材２１は軸部２１ｂを中心として図２Ａで上下方向に回動可能である。
【００２８】
一方、サイドブラケット２０の長手方向中間位置に角度調整部材２２が回動可能に取り付けられている。この角度調整部材２２はスクリーン支持部材２１の傾斜角を調整するためのもので、スクリーン支持部材２１のアーム部２１ａを係合可能な２つの切欠き部２２ａを有する。上下いずれか一方の切欠き部２２ａにアーム部２１ａを係合させることで、スクリーン支持部材２１の傾斜角が固定される。
【００２９】
図２Ａ（ａ）と図２Ｂは、下側の切欠き部２２ａにアーム部２１ａを係合させた状態を示している。この状態でスクリーン支持部材２１の先端部と建物壁１０の室内側壁面１０ａとの間にできる隙間Ｃ２は、室内側壁面１０ａから出っ張った窓枠１１の厚さと同じか、或いは当該厚さよりもやや小さくする。
【００３０】
これにより、窓枠１１側のスクリーン４０の左右両端が、窓枠１１の室内側縦枠１１ｃに隙間なく接触する。窓枠１１の室内側縦枠１１ｃとスクリーン４０の左右両端との間に隙間が生じる場合は、図２Ａ（ｂ）のように角度調整部材２２の上側の切欠き部２２ａにアーム部２１ａを係合させる。
【００３１】
同図でスクリーン支持部材２１の先端部と室内側壁面１０ａとの間にできる隙間Ｃ３は、前述した隙間Ｃ２よりも小さくなる（Ｃ３＜Ｃ２）。切欠き部２２ａの数は２つ以上にして多段に角度調整可能にしてもよいことは勿論である。
【００３２】
スクリーン支持部材２１は前述した回動型に限られない。図３Ａ、図３Ｂは、水平摺動型の別のスクリーン支持部材２３を使用した上端支持構造である。このスクリーン支持部材２３は左右のサイドブラケット２０の外側面に水平摺動可能に支持された板状部材を有する。
【００３３】
スクリーン支持部材２３の長手方向（水平方向）に長孔２３ａが形成されている。一方、サイドブラケット２０の外側面に左右一対のガイド用突起２０ａが形成され、このガイド用突起２０ａがスクリーン支持部材２３の長孔２３ａに摺動可能に係合されている。そしてスクリーン支持部材２３が図３Ｂの矢印方向（水平方向）に摺動可能に構成されている。
【００３４】
スクリーン支持部材２３の窓１２側先端部に、スクリーン４０の上端部４０ａが固定されている。スクリーン支持部材２３を水平方向に摺動させて位置調整することで、窓１２側のスクリーン４０を室内側縦枠１１ｃに隙間なく接触させることができる。なお、ガイド用突起２０ａはネジで構成可能であり、スクリーン支持部材２３を位置調整した後にネジ締めすればスクリーン支持部材２３を位置固定できる。
【００３５】
このように、スクリーン支持部材２１、２３はサイドブラケット２０に移動可能に取り付けてあればよく、これによりスクリーン４０の上端部４０ａの水平方向位置を調整して窓枠１１の室内側側面に隙間なく接触させることが可能になる。
【００３６】
以上、本発明の実施形態について説明したが、本発明は前記実施形態に限定されることなく、種々の変形が可能である。例えば図３Ａ、図３Ｂの前記実施形態ではスクリーン支持部材２３を水平摺動させて位置調整可能にしたが、スクリーン支持部材２３をばねで水平方向に付勢することでスクリーン４０の上端部４０ａを窓枠１１の室内側縁部１１ａに圧着させるように構成することも可能である。
【符号の説明】
【００３７】
１０：建物壁                            １０ａ：室内側壁面
１０ｂ：窓開口                          １１：窓枠
１１ａ：室内側縁部                      １１ｂ：窓開口
１１ｃ：室内側縦枠                      １２：窓
２０：サイドブラケット                  ２１、２３：スクリーン支持部材
２１ａ：アーム部                        ２１ｂ：軸部
２２：角度調整部材                      ２２ａ：切欠き部
３０：巻取軸                            ４０：スクリーン
４０ａ：スクリーンの上端部              ５０，５１：ウェイトバー
６０：カバー                            ７０：昇降コード
１００：ロールスクリーン                Ｃ１〜Ｃ３：隙間
【図１Ａ】
2020172745.tif 000003
【図１Ｂ】
2020172745.tif 000004
【図１Ｃ】
2020172745.tif 000005
【図２Ａ】
2020172745.tif 000006
【図２Ｂ】
2020172745.tif 000007
【図２Ｃ】
2020172745.tif 000008
【図３Ａ】
2020172745.tif 000009
【図３Ｂ】
2020172745.tif 000010
【図４】
2020172745.tif 000011
【図５】
2020172745.tif 000012